(57)【要約】【課題】高効率発光ダイオードパッケージを提供する。【解決手段】本発明は、電気信号に対応して所定の光を発する発光ダイオードと、上記発光ダイオードが電気的に結合するように実装して、陽極リードフレームと陰極リードフレームを有する基板と、上記基板上に実装して上記発光ダイオードと並列に連結して定電圧を維持する定電圧ダイオードと、上記発光ダイオードと上記定電圧ダイオードとの間に位置し、上記発光ダイオードから出射される光が上記定電圧ダイオードに直接照射されて反射または吸収されないようにする遮光ダムと、を含む高効率発光ダイオードパッケージが提供される。本発明による高効率発光ダイオードパッケージは、発光ダイオードから出射された光が直接定電圧ダイオードに吸収されないようにすることができる。【選択図】図２
2007294953.tif 000002
【特許請求の範囲】
【請求項１】
電気信号に対応して所定の光を発する発光ダイオードと、
前記発光ダイオードと電気的に結合するように実装し、陽極リードフレームと陰極リードフレームとを有する基板と、
前記基板の上に実装し、前記発光ダイオードと並列に連結して定電圧を維持する定電圧ダイオードと、
前記発光ダイオードと前記定電圧ダイオードとの間に位置し、前記発光ダイオードから出射される光が前記定電圧ダイオードに直接照射されて反射または吸収されないようにする遮光ダムと、
を含むことを特徴とする高効率発光ダイオードパッケージ。
【請求項２】
前記発光ダイオードパッケージは、側面型発光ダイオードパッケージであることを特徴とする請求項１に記載の高効率発光ダイオードパッケージ。
【請求項３】
前記定電圧ダイオードは、ツェナーダイオードまたはアバランシェダイオードであることを特徴とする請求項１に記載の高効率発光ダイオードパッケージ。
【請求項４】
前記遮光ダムは、アルミニウム、銀及びプラスチックの中のいずれか一つで形成することを特徴とする請求項１に記載の高効率発光ダイオードパッケージ。
【請求項５】
前記遮光ダムの断面は、四角形または三角形であることを特徴とする請求項１に記載の高効率発光ダイオードパッケージ。
【請求項６】
前記遮光ダムの前記発光ダイオードに向いた側面は、反射物質で塗布されることを特徴とする請求項１に記載の高効率発光ダイオードパッケージ。
【請求項７】
前記反射物質は、アルミニウム、銀及びプラスチックの中のいずれか一つで形成することを特徴とする請求項６に記載の高効率発光ダイオードパッケージ。
【請求項８】
前記遮光ダムの前記発光ダイオードに向いた側面が、前記基板に対して所定角度に傾斜したことを特徴とする請求項１に記載の高効率発光ダイオードパッケージ。
【請求項９】
前記基板の上に形成されて、前記発光ダイオード、定電圧ダイオード及び遮光ダムを囲んで前記発光ダイオードから出射された光を外部に反射する反射部をさらに含むことを特徴とする請求項１または８に記載の高効率発光ダイオードパッケージ。
【請求項１０】
前記反射部の側面に形成された反射面が、前記遮光ダムに形成された側面の角度に対応して前記基板と所定角度をなすことを特徴とする請求項９に記載の高効率発光ダイオードパッケージ。
【請求項１１】
前記遮光ダムは、前記反射部を形成する物質と同一の物質で形成することを特徴とする請求項９に記載の高効率発光ダイオードパッケージ。
【請求項１２】
前記遮光ダムは、ポリパラバン酸レジンまたはナイロンで形成することを特徴とする請求項１１に記載の高効率発光ダイオードパッケージ。
【発明の詳細な説明】
【技術分野】
【０００１】
本発明は、発光ダイオードパッケージに関し、特に反射率の高い発光ダイオードパッケージに関する。
【背景技術】
【０００２】
一般的に発光ダイオード（Ｌｉｇｈｔ  Ｅｍｉｔｔｉｎｇ  Ｄｉｏｄｅ；ＬＥＤ）は、半導体のｐ−ｎ接合構造を用いて注入された少数キャリア（電子または正孔）を生成してこれらの再結合により発光させる電子部品である。このような発光ダイオードは、）特定元素の半導体に順方向の電圧を加えると、陽極と陰極の接合部分を介して電子と正孔が移動しながら互いに再結合し、エネルギーは電子と正孔が離れている場合より小さくなるので、この際に発生するエネルギーの差により光を放出する。発光ダイオードは低電圧で高効率の光を照射することができるので、家電製品、リモコン、電光板、標示器、各種自動化機器などによく使用される。特に、情報通信機器の小型化、スリム化の趨勢に応じて機器の各種部品である抵抗、コンデンサ、ノイズフィルタなどはさらに小型化し、発光ダイオードも印刷回路基板（Ｐｒｉｎｔｅｄ  Ｃｉｒｃｕｉｔ  Ｂｏａｒｄ；ＰＣＢ）に直接実装するために表面実装素子（Ｓｕｒｆａｃｅ  Ｍｏｕｎｔ  Ｄｅｖｉｃｅ；以下、ＳＭＤ）型に作られている。ここで、ＳＭＤ方式の発光ダイオードパッケージは、主に携帯電話における液晶ディスプレイ用バックライトユニットとして使用されているが、一般的に発光ダイオードは、静電気または逆電圧に脆弱であることが知られている。よって、このような発光ダイオードの脆弱性を補完するために、逆方向に電流が流れるようにする手段を提供しており、このような手段として好ましくはツェナーダイオードと発光チップとの間を並列に連結して静電気に効率的に対応できるようにしている。すなわち、陽極と陰極に発光ダイオード及びツェナーダイオードを実装して、この発光ダイオードとツェナーダイオードとを金（Ａｕ）成分のワイヤ（Ｗｉｒｅ）などで互いに連結することにより並列構造を持つようにする。
【０００３】
図１は、従来技術による定電圧ダイオードを用いた発光ダイオードパッケージの断面図である。図１を参照すると、発行ダイオードパッケージは、反射部１０５、ツェナーダイオード１１０、発光ダイオード１１５、ワイヤ１２０及び１２５及び１３０、基板とを含み、基板は陽極リードフレーム１３５、陰極リードフレーム１４０、及び絶縁領域１４５を含む。
【０００４】
ツェナーダイオード１１０が、発光ダイオード１１５と並列に連結することにより逆方向の電流が印加されてもツェナーダイオード１１０は静電気による損傷を防止できる。ここで、ツェナーダイオード１１０は、定電圧ダイオードとも言い、半導体ＰＮ接合ダイオードの一つであり、ＰＮ接合の絶縁破壊（降伏）（Ｂｒｅａｋｄｏｗｎ）領域において動作特性が現われるように製作されたダイオードであり、主に定電圧用として使用される。そして、ツェナーダイオードは、ツェナー回復現象を用いて一定電圧を得る素子であり、ケイ素のｐ−ｎ接合において約１０ｍＡの電流で動作し、品種に応じて３〜１２Ｖの定電圧を得ることができるダイオードである。ツェナーダイオード１１０は、基板に直接実装されるか、図１に示すようにリードフレームを用いて実装できる。
【発明の開示】
【発明が解決しようとする課題】
【０００５】
しかしながら、ツェナーダイオード１１０が、発光ダイオード１１５の周辺に位置して発光ダイオード１１５から出射される光を吸収するという問題点がある。すなわち、発光ダイオード１１５から出射される光の一部分が直接ツェナーダイオード１１０に向くようになり、ツェナーダイオード１１０が光の一部分を吸収して発光ダイオードパッケージの発光効率が悪くなるという問題点がある。
【０００６】
本発明は、発光ダイオードから出射された光が直接に定電圧ダイオードに吸収されないようにすることができる高効率発光ダイオードパッケージを提供する。
【０００７】
また、本発明は、使用様態及び用途を制限することなく、定電圧ダイオードを用いる発光ダイオードパッケージにおける高効率発光ダイオードパッケージを提供する。
【０００８】
また、本発明は、定電圧ダイオードに吸収される光を反射できる高効率発光ダイオードパッケージを提供する。
【０００９】
また、本発明は、発光ダイオードパッケージに具備された反射部の傾斜を調節することで、輝度の高い光を発光できる高効率発光ダイオードパッケージを提供する。
【００１０】
本発明が提示する他の技術的課題は、下記の説明を通じて容易に理解できる。
【課題を解決するための手段】
【００１１】
本発明の一態様は発光ダイオードパッケージを特色とする。本発明の一実施形態によれば、電気信号に対応して所定の光を発する発光ダイオードと、上記発光ダイオードが電気的に結合するように実装し、陽極リードフレームと陰極リードフレームとを有する基板と、上記基板の上に実装し、上記発光ダイオードと並列に連結されて定電圧を維持する定電圧ダイオードと、上記発光ダイオードと上記定電圧ダイオードとの間に位置して、上記発光ダイオードから出射される光が上記定電圧ダイオードに直接照射されて反射または吸収されないようにする遮光ダムと、を含む高効率発光ダイオードパッケージが提供される。
【００１２】
ここで、上記発光ダイオードパッケージは、側面型発光ダイオードパッケージ（Ｓｉｄｅ  Ｖｉｅｗ  ＬＥＤ）であってもよい。
【００１３】
上記定電圧ダイオードは、ツェナーダイオードまたはアバランシェダイオードであってもよい。
【００１４】
上記遮光ダムは、アルミニウム、銀及びプラスチックの中のいずれか一つで形成されてもよい。
【００１５】
上記遮光ダムの断面は、四角形または三角形であってもよい。
【００１６】
上記遮光ダムの上記発光ダイオードに向いた側面は、反射物質を塗布されてもよい。
【００１７】
上記反射物質は、アルミニウム、銀及びプラスチックの中のいずれか一つで形成されてもよい。
【００１８】
上記遮光ダムの上記発光ダイオードに向いた側面は、上記基板と所定角度に傾斜してもよい。
【００１９】
また、本発明の一つの実施例による高効率発光ダイオードパッケージは、上記基板の上に形成して上記発光ダイオード、定電圧ダイオード及び遮光ダムを囲み、上記発光ダイオードから出射される光を外部に反射する反射部をさらに含むことができる。
【００２０】
ここで、上記反射部の側面に形成された反射面は、上記遮光ダムに形成された側面の角度に対応して上記基板と所定の角度を形成することができる。
【００２１】
上記遮光ダムは、上記反射部を形成する物質と同一の物質から形成してもよい。
【００２２】
上記遮光ダムは、ポリパラバン酸レジン（ｐｏｌｙ  ｐａｒａｂａｎｉｃ  ａｃｉｄ  ｒｅｓｉｎ）またはナイロンであってもよい。
【００２３】
本発明によれば、発光ダイオードと定電圧のために備えた定電圧ダイオードとの間に所定の形状を有する遮光ダムを形成して発光ダイオードから出射される光が定電圧ダイオードに吸収されないようにする。ここで、遮光ダムの形状は発光ダイオードから出射された光を外部に反射できるように所定の角度を有してもよく、反射率を高めるために反射物質からなるか、または反射面を形成してもよい。また、発光ダイオードパッケージは、発光ダイオードから出射された光の輝度を高めるために所定の反射部が含まれてもよく、このような反射部は上述した遮光ダムの傾斜している角度に対応して（断面がテーパー形状になってもよい）形成することができる。
【発明の効果】
【００２４】
本発明による高効率発光ダイオードパッケージは、発光ダイオードから出射された光が直接定電圧ダイオードに吸収されないようにすることができる。
【００２５】
また、本発明による高効率発光ダイオードパッケージは、使用様態及び用途に限らず、定電圧ダイオードを用いる発光ダイオードパッケージにおいて高効率に発光できる。
【００２６】
また、本発明による高効率発光ダイオードパッケージは、定電圧ダイオードに吸収される光を反射できる。
【００２７】
また、本発明による高効率発光ダイオードパッケージは、発光ダイオードパッケージに備えた反射部の傾斜を調節して輝度の高い光を発光できる。
【発明を実施するための最良の形態】
【００２８】
以下、本発明による高効率発光ダイオードパッケージの好ましい実施例について添付図面を参照して詳しく説明するが、添付図面を参照して説明することにおいて、図面符号にかかわらず同一である構成要素は同一な参照符号を付与し、これに対する重複説明は省略する。
【００２９】
本発明による実施例は、発光ダイオードと定電圧ダイオードとの間に形成する遮光ダムの形状に応じて大きく三つに分けられるが、以下で順次説明する。以下では側面型（サイドビュー：Ｓｉｄｅ  Ｖｉｅｗ  ）方式の発光ダイオードパッケージを中心に説明するが、本発明の要旨はトップビュー（ｔｏｐ  ｖｉｅｗ）方式、フラッシュに使用される方式、照明用パワーＬＥＤなどの発光ダイオードパッケージにも適用できる。また、以下では、定電圧ダイオードとしてツェナーダイオード２１０を中心に説明するが、これ以外に定電圧効果を示すことができる素子であれば、例えば、アバランシェ（ａｖＡｌａｎｃｈｅ）ダイオードなども本発明に適用することができる。
【００３０】
図２は、本発明の好ましい第１実施例による高効率発光ダイオードパッケージの斜視図であり、図３は図２の前面から見た断面図であり、図４は図２の平面図であり、図５は図２の横から見た断面図である。図２乃至図５を参照すると、本発明による高効率発光ダイオードパッケージは、射出物の本体２０５、定電圧ダイオード２１０、遮光ダム２１３、発光ダイオード２１５、第１ワイヤ２２０、第２ワイヤ２２５、第３ワイヤ２３０、反射部２５０及び基板を含み、基板は陽極リードフレーム２３５（１）及び２３５（２）、陰極リードフレーム２４０（１）及び２４０（２）、絶縁領域２４５を含む。
【００３１】
発光ダイオード２１５としては、一般的な方式の発光ダイオードを適用し、好ましくはＧａＮ系列を用いることができる。このようなＧａＮ系列の発光チップは、発光時青色波長帯の光を照射するように製造し、このように製造された発光チップはチップの上にイエロー（Ｙｅｌｌｏｗ）波長帯の光を発散する蛍光体を塗布してこれらの光の混合により白色光を形成することができる。ここで、レッド（Ｒｅｄ）、グリーン（Ｇｒｅｅｎ）、ブルー（Ｂｌｕｅ）の蛍光体を用いて白色光を示す方法も使用できる。
【００３２】
本発明による発光ダイオードパッケージは、射出物の本体２０５の内部に具備して電源を印加すると光を照射する発光ダイオード２１５と、発光ダイオード２１５と並列に連結して静電気による損失を防止する定電圧ダイオード２１０と、このような発光ダイオード２１５から発光される光を外部に反射する反射部２５０と、を含む。ここで、射出物本体２０５はプラスチックで形成されてもよく、プラスチックのうち、機械的強度が優れて反射率の良いポリパラバン酸レジン（ｐｏｌｙ  ｐａｒａｂａｎｉｃ  ａｃｉｄ  ｒｅｓｉｎ、以下では‘ＰＰＡ’と言う）で形成されてもよい。また、反射部２５０は基板上に形成して、発光ダイオード２１５と定電圧ダイオード２１０及び遮光ダム２１３を囲んで射出物の本体２０５と一体に形成してもよいし、別に形成されてもよい。また、射出物の本体２０５の一側面には、陽極リードフレーム２３５（１）及び２３５（２）と、陰極リードフレーム２４０（１）及び２４０（２）を形成するが、陽極リードフレーム２３５（２）と陰極リードフレーム２４０（２）とは各々突出して形成する。陽極リードフレーム２３５（１）及び２３５（２）と、陰極リードフレーム２４０（１）及び２４０（２）は各々電気的に連結する。ここで、定電圧ダイオード２１０、遮光ダム２１３、発光ダイオード２１５、第１ワイヤ２２０、第２ワイヤ２２５、第３ワイヤ２３０は樹脂、例えば、エポキシ樹脂で保護する。
【００３３】
そして、陽極リードフレーム２３５（１）には定電圧ダイオード２１０を実装し、陰極リードフレーム２４０（１）には発光ダイオード２１５を実装する。ここで、定電圧ダイオード２１０及び／または発光ダイオード２１５は、導電性エポキシを用いてダイボンディング（Ｄｉｅ  Ｂｏｎｄｉｎｇ）方法により実装してもよい。
【００３４】
また、発光ダイオード２１５は、第２ワイヤ２２５を介して陽極リードフレーム２３５（１）に電気的に連結することができる。よって、陽極リードフレーム２３５（１）に印加された順方向の電流が（第２ワイヤ２２５を介して）発光ダイオード２１５に印加することにより発光ダイオード２１５から光を照射できる。ここで、第２ワイヤ２２５として電気的に導電率の高い金（Ａｕ）を使用してもよい。
【００３５】
そして、定電圧ダイオード２１０は、逆方向電流に対して（一定した）静電耐圧を有する。よって、発光ダイオード２１５に静電気などによる逆方向電流が印加される場合、定電圧ダイオード２１０により電流がバイパス（Ｂｙ−Ｐａｓｓ）されて静電気による損傷を防止できる。ここで、定電圧ダイオード２１０は、ツェナーダイオード（Ｚｅｎｅｒ  Ｄｉｏｄｅ）を含むが、定電圧効果を有する素子であれば、アバランシェダイオード（ａｖＡｌａｎｃｈｅ  ｄｉｏｄｅ）、スイッチングダイオード（Ｓｗｉｔｃｈｉｎｇ  Ｄｉｏｄｅ）及びショットキーダイオードも含むことができる。
【００３６】
このような定電圧ダイオード２１０は、第１ワイヤ２２０を具備し、第１ワイヤ２２０は定電圧ダイオード２１０から延長して陰極リードフレーム２４０（１）にワイヤポンディング（Ｗｉｒｅ  ｂｏｎｄｉｎｇ）する。ここで、第１ワイヤ２２０は、発光ダイオード２１５から延長した第３ワイヤ２３０に連結して、定電圧ダイオード２１０は発光ダイオード２１５と並列に連結することができる。
【００３７】
ここで、遮光ダム２１３は、定電圧ダイオード２１０と発光ダイオード２１５との間に位置して、発光ダイオード２１５から出射された光が直接定電圧ダイオード２１０に照射されて定電圧ダイオード２１０に直接反射または吸収されないようにできる。したがって、発光ダイオード２１５から出射された光が効率的に外部へ出るように、遮光ダム２１３は反射物質で形成するか、または発光ダイオード２１５に向いた側面を含む外部側面を反射物質で塗布してもよい。ここで、遮光ダム２１３を形成する反射物質または遮光ダム２１３に塗布される反射物質は、反射率が優れるアルミニウム（Ａｌ）、銀（Ａｇ）などであってもよく、また、射出物の本体２０５を形成する（射出物のうち）、反射率の高いＰＰＡであるか、反射率が高いナイロン（ｎｙｌｏｎ）であってもよい。遮光ダム２１３が射出物の本体２０５を形成する射出物と同一な物質から形成される場合、同じ工程で遮光ダム２１３と射出物本体２０５とを形成できるので、製造工程が簡便になる（という長所がある）。一般的に発光ダイオードパッケージは、定電圧ダイオード２１０と発光ダイオード２１５とを両方有する場合、１ｃｄ級の発光ダイオードを使用すると１ｃｄに明るさが低下するが、本発明による遮光ダム２１３を使用すれば、１．１ｃｄに近接した明るさの光を出射することができる。また、遮光ダム２１３は反射効率を高めるために反射部２４５が基板に対して傾斜した角度に傾斜して形成することができる。
【００３８】
図６は、本発明の好ましい第１実施例による高効率発光ダイオードパッケージの回路図である。図６を参照すると、定電圧ダイオード２１０と発光ダイオード２１５とは、陽極リードフレーム２３５（１）と陰極リードフレーム２４０（１）とに並列に連結されている。
【００３９】
以下で、定電圧ダイオード２１０と発光ダイオード２１５とが並列に連結した構造を有する発光ダイオードパッケージの作動過程を説明する。ダイオードパッケージに順方向の電流が印加される場合、この電流は陽極リードフレーム２３５（１）及び第１ワイヤ２２０を介して発光ダイオード２１５に供給されて発光ダイオード２１５がＲ、Ｇ、Ｂなどの（所定の）色を有する光を照射することになる。この際、ツェナーダイオードは逆方向状態であるため電気的にはオープン（Ｏｐｅｎ）状態であり、一定した電圧以上の過電圧ではショート（Ｓｈｏｒｔ）状態で発光ダイオード２１５を保護する。よって、一定の範囲以内の正方向電圧（陽極から陰極の方向）を有する電流が発光ダイオード２１５に供給する状態を維持することにより発光ダイオード２１５は安定的に発光できる。
【００４０】
（このような過程中、）静電気などにより逆方向の電圧が印加されると、この逆方向の電圧は電気的に順方向である定電圧ダイオード２１０に供給される。この際、発光ダイオード２１５は電気的にオープン（Ｏｐｅｎ）状態である。ここで、逆方向に電圧が印加される際には定電圧ダイオード２１０がショート（Ｓｈｏｒｔ）状態で電流をバイパス（ｂｙ  ｐａｓｓ）して発光ダイオード２１５が損傷されることを防止できる。よって、定電圧ダイオード２１０を発光ダイオード２１５と並列に配置することで、順方向及び逆方向電流による発光ダイオードの損傷を防止できる。
【００４１】
図７は、本発明の好ましい第２実施例による高効率発光ダイオードパッケージの断面図である。図７を参照すると、本発明による高効率発光ダイオードパッケージは、定電圧ダイオード７１０、遮光ダム７１３、発光ダイオード７１５、第１ワイヤ７２０、第２ワイヤ７２５、第３ワイヤ７３０、及び基板を含み、基板は陽極リードフレーム７３５（１）、陰極リードフレーム７４０（１）、絶縁領域７４５を含む。上述した第１実施例との相違点を主として説明する。
【００４２】
遮光ダム７１３は、発光ダイオード７１５から出射された光が効率的に外部に照射されるように所定の角度に傾斜する。すなわち、遮光ダム７１３の発光ダイオード７１５に向いた側面が基板、すなわち陽極リードフレーム７３５（１）と陰極リードフレーム７４０（１）及び絶縁領域７４５、と所定の角度に傾斜してもよい。ここで、傾斜した側面は、（遮光ダム７１３の）側面の一部または全部になってもよい。ここで、傾斜する角度の大きさは、光の反射効率が優れるように形成される角度であればよい。よって、遮光ダム７１３の断面は、多角形になることができ、例えば、四角形または三角形などで形成できる。
【００４３】
図８は、本発明の好ましい第３実施例による高効率発光ダイオードパッケージの断面図である。図８を参照すると、本発明による高効率発光ダイオードパッケージは、定電圧ダイオード８１０、遮光ダム８１３、発光ダイオード８１５、第１ワイヤ８２０、第２ワイヤ８２５、第３ワイヤ８３０、及び基板を含み、基板は陽極リードフレーム８３５（１）、陰極リードフレーム８４０（１）、絶縁領域８４５を含む。上述した第１実施例との相違点を主として説明する。
【００４４】
遮光ダム８１３は、中間部分が曲がった形態の板状になってもよい。すなわち、発光ダイオード８１５から出射された光が効率的に外部に照射されるように、所定の角度に曲がった部分が板状で形成されて少ない物質で遮光ダム８１３を形成できる効果がある。これ以外の形態でも、発光ダイオード８１５から出射された光を効率的に反射できる形態であれば、本発明に適用できる。例えば、遮光ダム８１３は、中間部分が曲がらなかった‘＼’形状で形成することもできる。
【００４５】
上記では本発明の好ましい実施例を参照して説明したが、本発明は上記実施例に限定されず、本発明の思想内で当分野における通常の知識を有した者により多くの変形が可能であり、また、特許請求の範囲に記載された本発明及びその均等物の思想及び領域から逸脱しない範囲内で本発明を多様に修正及び変更することができる。
【図面の簡単な説明】
【００４６】
【図１】従来技術による定電圧ダイオードを用いた発光ダイオードパッケージの断面図である。
【図２】本発明の好ましい第１実施例による高効率発光ダイオードパッケージの斜視図である。
【図３】本発明の好ましい第１実施例による高効率発光ダイオードパッケージの断面図である。
【図４】本発明の好ましい第１実施例による高効率発光ダイオードパッケージの平面図である。
【図５】本発明の好ましい第１実施例による高効率発光ダイオードパッケージの側断面図である。
【図６】本発明の好ましい第１実施例による高効率発光ダイオードパッケージの回路図である。
【図７】本発明の好ましい第２実施例による高効率発光ダイオードパッケージの断面図である。
【図８】本発明の好ましい第３実施例による高効率発光ダイオードパッケージの断面図である。
【符号の説明】
【００４７】
２０５  射出物本体
２１０  定電圧ダイオード
２１３  遮光ダム
２１５  発光ダイオード
２２０  第１ワイヤ
２２５  第２ワイヤ
２３０  第３ワイヤ
２５０  反射部
２３５（１）、２３５（２）  陽極リードフレーム 
２４０（１）、２４０（２）  陰極リードフレーム
２４５  絶縁領域
【図１】
2007294953.tif 000003
【図２】
2007294953.tif 000004
【図３】
2007294953.tif 000005
【図４】
2007294953.tif 000006
【図５】
2007294953.tif 000007
【図６】
2007294953.tif 000008
【図７】
2007294953.tif 000009
【図８】
2007294953.tif 000010